(57)【要約】【課題】上位ポールと下位ポールとのがたつきが少なく、異音が発生し難い支持柱を提供する。【解決手段】下位ポール２３に上位ポール２４を上方から挿入した状態で上下方向に両ポール２３，２４を連結してなる支持柱２０において、上位ポールの下部外周面２４ａには、下位ポールの上端面２３ｂが当接するプレート２５が形成され、しかも下位ポールの上部内周面２３ａには、テーパー部２６ａを有するガイド部材２６が複数、それぞれ同じ高さ位置に立設されるとともに、上位ポールの下端２４ｂは、立設された複数のガイド部材２６よりも下方に進入可能で、更に、上位ポール２４に形成されたプレート２５が下位ポールの上端面２３ｂに当接した際に、上位ポールの下端２４ｂ位置よりも上方で、且つガイド部材２６よりも下方となる位置において、ボルト２７で上位ポール２４の外周面を押圧することで、上位ポール２４を下位ポール２３に固定する。【選択図】図１
2010094257.tif 000002
【特許請求の範囲】
【請求項１】
円筒状の下位ポールに、その下位ポールの内径よりも径の小さい外径をした円筒状の上位ポールを上方から挿入した状態で上下方向に両ポールを連結してなり、防球ネットが張設される支持柱において、
前記上位ポールの下部外周面には、前記下位ポールの上端面が当接するプレートが形成され、しかも前記下位ポールの上部内周面には、上方から下方に向けて除々に前記上部内周面からの突出量を大きくしたテーパー部を有するガイド部材が複数、それぞれ同じ高さ位置に立設されるとともに、前記上位ポールの下端は、前記立設された複数のガイド部材よりも下方に進入可能で、
更に、前記上位ポールに形成されたプレートが前記下位ポールの上端面に当接した際に、前記上位ポールの下端位置よりも上方で、且つ前記ガイド部材よりも下方となる前記下位ポールの周面には、複数の孔がそれぞれ同じ高さ位置に形成されるとともに、前記複数の孔にボルトを挿入して、前記ボルトで前記上位ポールの外周面を押圧することで、前記上位ポールを前記下位ポールに固定することを特徴とする支持柱。
【請求項２】
前記上位ポールに形成されたプレートの下面端部に、前記下位ポールの外径よりも内径の大きい円筒を立設したことを特徴とする請求項１に記載の支持柱。
【請求項３】
円筒状の下位ポールに、その下位ポールの内径よりも径の小さい外径をした円筒状の上位ポールを上方から挿入した状態で上下方向に両ポールを連結してなり、防球ネットが張設される支持柱において、
前記上位ポールの下部外周面には、前記下位ポールの上端面が当接するプレートが形成され、前記プレートの下面端部に、前記下位ポールの外径よりも内径の大きい円筒を立設するとともに、
前記上位ポールに形成されたプレートが前記下位ポールの上端面に当接した際に、前記上位ポールの下端位置よりも上方となる前記下位ポールの周面には、複数の孔がそれぞれ同じ高さ位置に形成されるとともに、前記複数の孔にボルトを挿入して、前記ボルトで前記上位ポールの外周面を押圧することで、前記上位ポールを前記下位ポールに固定することを特徴とする支持柱。
【請求項４】
前記上位ポールに形成されたプレートが前記下位ポールの上端面に当接した際に、前記ガイド部材と同じ高さ位置である、前記上位ポールの外周面に、前記ガイド部材に当接して前記下位ポールに対する前記上位ポールの回転を阻止することが可能な突片状の回り止め部材を立設したことを特徴とする請求項１又は２に記載の支持柱。
【請求項５】
前記回り止め部材を、前記ガイド部材を左右から挟むように二つ設けたことを特徴とする請求項４に記載の支持柱。
【発明の詳細な説明】
【技術分野】
【０００１】
本発明は、学校のグランド等からボールが区域外に飛び出すことを防止する防球ネットの支持柱に関するものである。
【背景技術】
【０００２】
学校のグランドや公園等には、野球やサッカー等のボールが外に飛び出さないように防球ネットを設置している。
この防球ネットは、例えば図９に示すように、立設された複数本の支持柱１０の間にワイヤー１１を架設し、そのワイヤー１１によって防球ネット１２を張設するものである。近年では、設置前の運搬上の問題から１本の支持柱１０を、例えば下位ポール１３と上位ポール１４とに分割して搬入し、現場にて組み立てるようにした金属製の支持柱１０が主流となっている。
【０００３】
このような支持柱１０は、円筒状の下位ポール１３に、その下位ポール１３の内径よりも径の小さい外径をした円筒状の上位ポール１４を上方から挿入した状態で上下方向に両ポール１３，１４を連結してなる。詳しくは図１０に示すように、上位ポール１４の下部に下位ポール１３の上端面に当接するプレート１５が設けられ、プレート１５下方の外周面に下位ポール１３の内周面に当接する位置決め部材１６が突設されている（例えば、特許文献１参照）。
【特許文献１】特許第３１４５９５１号公報
【発明の開示】
【発明が解決しようとする課題】
【０００４】
しかしながら、こうした支持柱１０では、下位ポール１３に上位ポール１４を挿入し易いように、必ず下位ポール１３の外径と上位ポール１４の内径には隙間を設けてあるので、風が吹いたり、防球ネット１２でボールを受けたりすると、上位ポール１４が揺れてカタカタと異音がする。
【０００５】
そこで、本発明の目的とするところは、上位ポールと下位ポールとのがたつきが少なく、異音が発生し難い支持柱を提供することにある。
【課題を解決するための手段】
【０００６】
上記の目的を達成するために、本発明の請求項１に記載の支持柱（２０）は、円筒状の下位ポール（２３）に、その下位ポールの内径（Ｒ１）よりも径の小さい外径（Ｒ２）をした円筒状の上位ポール（２４）を上方から挿入した状態で上下方向に両ポール（２３，２４）を連結してなり、防球ネット（１２）が張設される支持柱（２０）において、上位ポールの下部外周面（２４ａ）には、下位ポールの上端面（２３ｂ）が当接するプレート（２５）が形成され、しかも下位ポールの上部内周面（２３ａ）には、上方から下方に向けて除々に上部内周面（２３ａ）からの突出量を大きくしたテーパー部（２６ａ）を有するガイド部材（２６）が複数、それぞれ同じ高さ位置に立設されるとともに、上位ポールの下端（２４ｂ）は、立設された複数のガイド部材（２６）よりも下方に進入可能で、更に、上位ポール（２４）に形成されたプレート（２５）が下位ポールの上端面（２３ｂ）に当接した際に、上位ポールの下端（２４ｂ）位置よりも上方で、且つガイド部材（２６）よりも下方となる下位ポール（２３）の周面には、複数の孔（２３ｃ）がそれぞれ同じ高さ位置に形成されるとともに、複数の孔（２３ｃ）にボルト（２７）を挿入して、ボルト（２７）で上位ポール（２４）の外周面を押圧することで、上位ポール（２４）を下位ポール（２３）に固定することを特徴とする。
【０００７】
また、請求項２に記載の支持柱（２０）は、上位ポール（２４）に形成されたプレート（２５）の下面端部に、下位ポールの外径（Ｒ３）よりも内径（Ｒ４）の大きい円筒（２８）を立設したことを特徴とする。
【０００８】
また、請求項３に記載の支持柱（２０）は、円筒状の下位ポール（２３）に、その下位ポールの内径（Ｒ１）よりも径の小さい外径（Ｒ２）をした円筒状の上位ポール（２４）を上方から挿入した状態で上下方向に両ポール（２３，２４）を連結してなり、防球ネット（１２）が張設される支持柱（２０）において、上位ポールの下部外周面（２４ａ）には、下位ポールの上端面（２３ｂ）が当接するプレート（２５）が形成され、プレート（２５）の下面端部に、下位ポールの外径（Ｒ３）よりも内径（Ｒ４）の大きい円筒（２８）を立設するとともに、上位ポール（２４）に形成されたプレート（２５）が下位ポールの上端面（２３ｂ）に当接した際に、上位ポールの下端（２４ｂ）位置よりも上方となる下位ポール（２３）の周面には、複数の孔（２３ｃ）がそれぞれ同じ高さ位置に形成されるとともに、複数の孔（２３ｃ）にボルト（２７）を挿入して、ボルト（２７）で上位ポール（２４）の外周面を押圧することで、上位ポール（２４）を下位ポール（２３）に固定することを特徴とする。
【０００９】
また、請求項４に記載の支持柱（２０）は、上位ポール（２４）に形成されたプレート（２５）が下位ポールの上端面（２３ｂ）に当接した際に、ガイド部材（２６）と同じ高さ位置である、上位ポール（２４）の外周面に、ガイド部材（２６）に当接して下位ポール（２３）に対する上位ポール（２４）の回転を阻止することが可能な突片状の回り止め部材（２９）を立設したことを特徴とする。
【００１０】
また、請求項５に記載の支持柱（２０）は、回り止め部材（２９）を、ガイド部材（２６）を左右から挟むように二つ設けたことを特徴とする。
【００１１】
ここで、上記括弧内の記号は、図面および後述する発明を実施するための最良の形態に掲載された対応要素または対応事項を示す。
【発明の効果】
【００１２】
本発明の請求項１に記載の支持柱によれば、下位ポールの上部内周面には、上方から下方に向けて除々に上部内周面からの突出量を大きくしたテーパー部を有するガイド部材が複数、それぞれ同じ高さ位置に立設されるとともに、上位ポールの下端は、立設された複数のガイド部材よりも下方に進入可能なので、上位ポールが下位ポールに対して前後左右方向にずれた状態で挿入されても、その挿入位置は下位ポールの中心軸方向に矯正される。したがって、円滑に上位ポールを挿入できる。しかも、挿入後には上位ポールと下位ポールとのがたつきが少ない。
また、上位ポールに形成されたプレートが下位ポールの上端面に当接した際に、上位ポールの下端位置よりも上方で、且つガイド部材よりも下方となる下位ポールの周面には、複数の孔がそれぞれ同じ高さ位置に形成されるとともに、複数の孔にボルトを挿入して、ボルトで上位ポールの外周面を押圧することで、上位ポールを下位ポールに固定するので、上位ポールとボルトとのがたつきがない。
すなわち、上位ポールの下方ではボルトによって上位ポールと下位ポールとをがたつき無く固定し、それより上方ではガイド部材によって上位ポールの振れが制限されるので、全体としてがたつきが少なく異音が発生し難い。
加えて、上位ポールに形成されたプレートが下位ポールの上端面に当接した状態でボルトを締めるので、ボルトに上位ポールの荷重が集中しない。
【００１３】
また、請求項２に記載の支持柱によれば、請求項１に記載の発明の作用効果に加え、上位ポールに形成されたプレートの下面端部に、下位ポールの外径よりも内径の大きい円筒を立設したので、より異音が発生し難い。すなわち、上位ポールの下端がガイド部材よりも下方に進入した後では、前後左右方向には、上位ポールの外径とガイド部材との隙間分しか上位ポールは動くことはできないので、下位ポールの外径と上位ポールに形成されたプレートに立設した円筒の内径との隙間が狭くても、上位ポールに形成されたプレートに立設した円筒を下位ポール上端に嵌め難いことはない。よって、下位ポールの外径と上位ポールに形成されたプレートに立設した円筒の内径との隙間は、上位ポールの外径とガイド部材との隙間よりも狭くできる。つまり、上位ポールとガイド部材との隙間が広くても、上位ポールの振れは、より狭い下位ポールの外径と上位ポールに形成されたプレートに立設した円筒の内径との隙間によって制限されるので、がたつきが少なく、異音が発生し難い。
【００１４】
また、請求項３に記載の支持柱によれば、上位ポールの下部外周面には、下位ポールの上端面が当接するプレートが形成され、プレートの下面端部に、下位ポールの外径よりも内径の大きい円筒を立設するので、上位ポールの下位ポールへの挿入後には、上位ポールと下位ポールとのがたつきが少ない。よって、異音が発生し難い。
また、上位ポールに形成されたプレートが下位ポールの上端面に当接した際に、上位ポールの下端位置よりも上方となる下位ポールの周面には、複数の孔がそれぞれ同じ高さ位置に形成されるとともに、複数の孔にボルトを挿入して、ボルトで上位ポールの外周面を押圧することで、上位ポールを下位ポールに固定するので、上位ポールとボルトとのがたつきがない。
すなわち、上位ポールの下方ではボルトによって上位ポールと下位ポールとをがたつき無く固定し、それより上方では上位ポールに形成されたプレートに立設した円筒によって上位ポールの振れが制限されるので、全体としてがたつきが少なく異音が発生し難い。
【００１５】
また、請求項４に記載の支持柱によれば、請求項１又は２に記載の発明の作用効果に加え、上位ポールに形成されたプレートが下位ポールの上端面に当接した際に、ガイド部材と同じ高さ位置である、上位ポールの外周面に、ガイド部材に当接して下位ポールに対する上位ポールの回転を阻止することが可能な突片状の回り止め部材を立設したので、万が一、ボルトが破損した場合であっても、防球ネットの補強のためのワイヤーの張力で上位ポールが回転することがない。
【００１６】
また、請求項５に記載の支持柱によれば、請求項４に記載の発明の作用効果に加え、回り止め部材を、ガイド部材を左右から挟むように二つ設けたので、時計回り、反時計回りのどちらにも回らない。
【００１７】
なお、本発明の支持柱のように、下位ポールの上部内周面にガイド部材を設け、上位ポールの下方位置をボルトで固定する点は、上述した特許文献１には全く記載されていない。
【発明を実施するための最良の形態】
【００１８】
（第一実施形態）
図１乃至図５、及び図９を参照して、本発明の第一実施形態に係る支持柱２０を説明する。図１は、本発明の第一実施形態に係る支持柱２０を示す要部断面図である。図２は、図１に示す支持柱２０のＡ−Ａ線断面図である。図３は、図１に示す支持柱２０のＢ−Ｂ線断面図である。
【００１９】
この支持柱２０は、図９に示すように、複数本地面に立設されてワイヤー１１を架設し、そのワイヤー１１によって防球ネット１２を張設するためのものであり、野球やサッカー等のボールが外に飛び出さないように設置される。また、円筒状の下位ポール２３に、その下位ポールの内径Ｒ１よりも径の小さい外径Ｒ２をした円筒状の上位ポール２４を上方から挿入した状態で上下方向に両ポール２３，２４を連結してなる。そして、この連結のための構造に特徴を有するものである。
【００２０】
上位ポール２４は、鋼鉄製の円筒であり、上位ポール２４を下位ポール２３に挿入した際に、下位ポールの上端面２３ｂが当接するプレート２５が下部外周面２４ａに形成されている。
このプレート２５は、外径が下位ポールの外径Ｒ３よりも大きく、且つ上位ポールの外径Ｒ２と同じ大きさの孔が形成された鋼鉄製の円板であり、上位ポール２４に溶接される。そして、このプレート２５の下面端部には、下位ポールの外径Ｒ３よりも内径Ｒ４の大きい円筒２８を立設した。
【００２１】
下位ポール２３は、上位ポール２４と同様に鋼鉄製の円筒であり、上部内周面２３ａには、ガイド部材２６が溶接により立設される。
このガイド部材２６は、上方から下方に向けて除々に下位ポール２３の上部内周面２３ａからの突出量を大きくしたテーパー部２６ａと、テーパー部２６ａにおける最大突出量となった位置からそのままの突出量で鉛直下向きに延びるストレート部２６ｂを有する。そして、ガイド部材２６は四つ均等な間隔で、それぞれ同じ高さ位置に配置される。すなわち、下位ポール２３の中心軸に対して、９０度毎の回転対称で配置される。
なお、上位ポール２４の長さは約４ｍ、下位ポールの地面に埋没していない部分の長さは約６ｍである。
【００２２】
そして、上位ポールの下端２４ｂが、立設された複数のガイド部材２６よりも下方に進入可能となるように、ガイド部材のストレート部２６ｂの、下位ポールの上部内周面２３ａからの突出量と、下位ポールの内径Ｒ１によって、下位ポール２３に挿入可能な上位ポールの外径Ｒ２が決まる。
また、下位ポールの上端面２３ｂからガイド部材２６までの長さよりも、上位ポールに形成されたプレート２５の下面から上位ポールの下端２４ｂまでの長さのほうを長くした。
【００２３】
なお、上位ポールの下端２４ｂがガイド部材２６よりも下方に進入した後に、プレート２５が下位ポールの上端面２３ｂに当接するので、図４に示すように、上位ポール２４とガイド部材のストレート部２６ｂとの隙間Ｓ１よりも、下位ポール２３とプレートに立設した円筒２８との隙間Ｓ２のほうを狭くした。つまり、上位ポールの下端２４ｂがガイド部材２６よりも下方に進入した後では、前後左右方向には、上位ポール２４とガイド部材のストレート部２６ｂとの隙間Ｓ１分しか上位ポール２４は動くことができないので、下位ポール２３とプレートに立設した円筒２８との隙間Ｓ２が狭くても、円筒２８を下位ポール２３上端に嵌め難いことはない。
【００２４】
更に、上位ポールに形成されたプレート２５が下位ポールの上端面２３ｂに当接した際に、上位ポールの下端２４ｂ位置よりも上方で、且つガイド部材２６よりも下方となる下位ポール２３の周面には、孔２３ｃが形成される。そして、この孔２３ｃは均等な間隔で、それぞれ同じ高さ位置に四つ形成される。
そして、この孔２３ｃの下位ポール２３外周面側にそれぞれナットＮが溶接される。もちろん、ナットＮにボルト２７を螺合可能となるように、ナットＮの孔の径よりも下位ポールの孔２３ｃの径のほうが大きく、しかもナットＮの孔の位置は下位ポールの孔２３ｃと一致させる。
この下位ポールの四つの孔２３ｃにそれぞれボルト２７を挿入して、図１と図３に示すようにボルト２７で上位ポール２４の外周面を押圧することで、上位ポール２４を下位ポール２３に固定する。
【００２５】
以上のように構成された支持柱２０によれば、ガイド部材２６はテーパー部２６ａを有するので、図５に示すように、上位ポール２４が下位ポール２３に対して前後左右方向にずれた状態で挿入されても、挿入位置は下位ポール２３の中心軸方向に矯正され、円滑に上位ポール２４を下位ポール２３に挿入できる。また、下位ポールの上端面２３ｂに、プレートに立設した円筒２８を嵌め易い。
また、ボルト２７で上位ポール２４の外周面を押圧するので、上位ポール２４とボルト２７とのがたつきがなく、上位ポール２４は下位ポール２３に固定される。
加えて、下位ポール２３とプレートに立設した円筒２８との隙間Ｓ２を狭くしたので、挿入箇所上部のがたつきが抑えられる。
また、下方ではボルト２７によって固定、それより上方ではプレートから立設した円筒２８によって上位ポール２４の振れが制限されるので、がたつきが少なく異音が発生し難い。
【００２６】
（第二実施形態）
次に図６と図７を参照して、本発明に係る第二実施形態を説明する。図６は、本発明の第二実施形態に係る支持柱２０を示す要部断面図である。図７（ａ）は、図６に示す支持柱２０のＣ−Ｃ線断面図である。なお、第一実施形態と同一部分には同一符号を付した。
【００２７】
本実施形態の第一実施形態との違いは、上位ポールに形成されたプレート２５が下位ポールの上端面２３ｂに当接した際に、ガイド部材２６と同じ高さ位置である、上位ポール２４の外周面に、ガイド部材２６に当接して下位ポール２３に対する上位ポール２４の回転を阻止することが可能な突片状の回り止め部材２９を一つ立設したことであり、その他の構成要素に関しては第一実施形態と同一である。
このように回り止め部材２９を立設したので、万が一、ボルト２７が破損した場合であっても、防球ネット１２の補強のためのワイヤー１１の張力で上位ポール２４が回転することがない。
なお、図７（ｂ）に示すように回り止め部材２９を、ガイド部材２６を左右から挟むように二つ設けてもよく、この場合には時計回り、反時計回りのどちらにも回らない。
【００２８】
（第三実施形態）
次に図８を参照して、本発明に係る第三実施形態を説明する。図８は、本発明の第三実施形態に係る支持柱２０を示す要部断面図である。なお、第一実施形態や第二実施形態と同一部分には同一符号を付した。
【００２９】
本実施形態においては、円筒状の下位ポール２３に、その下位ポールの内径Ｒ１よりも径の小さい外径をした円筒状の上位ポール２４を上方から挿入した状態で上下方向に両ポール２３，２４を連結してなり、防球ネット１２が張設される支持柱２０において、上位ポールの下部外周面２４ａには、下位ポールの上端面２３ｂが当接するプレート２５が形成され、プレート２５の下面端部に、下位ポールの外径Ｒ３よりも内径Ｒ４の大きい円筒２８を立設するとともに、上位ポールに形成されたプレート２５が下位ポールの上端面２３ｂに当接した際に、上位ポールの下端２４ｂ位置よりも上方となる下位ポール２３の周面には、複数の孔２３ｃがそれぞれ同じ高さ位置に形成されるとともに、複数の孔２３ｃにボルト２７を挿入して、ボルト２７で上位ポール２４の外周面を押圧することで、上位ポール２４を下位ポール２３に固定する。
【００３０】
すなわち本実施形態は、第一実施形態に係る支持柱２０におけるガイド部材２６のみが無い支持柱２０であり、その他の構成要素は第一実施形態と同一である。
したがって、ガイド部材２６が無いため、下位ポールの上端面２３ｂをプレートから立設した円筒２８に嵌め難いが、一旦嵌めてしまうと、上位ポール２４と下位ポール２３とのがたつき量は第一実施形態と同じであるので、異音も発生し難い。
【００３１】
なお、第一実施形態において、上位ポールに形成されたプレート２５には円筒２８が立設したとしたが、これに限られるものではなく、プレート２５に円筒２８が立設されてなくてもよい。すなわち、円筒２８が無くても、ガイドにより上位ポール２４の前後左右方向の動きは制限されるので、ガイドが無いときに比べて、がたつきが少なく異音も発生し難い。
【００３２】
また、第一乃至第三実施形態においては、支持柱２０は上位ポール２４と下位ポール２３の二本からなるとしたが、これに限られるものではなく、上下方向に複数本連結するものであってもよい。すなわち、下側のポールから順に径が細くなっていき、それぞれのポールの連結は、第一実施形態等の連結であってよい。
また、上位ポール２４と下位ポール２３の長さはそれぞれ４ｍと６ｍとしたが、これに限られるものではない。
【００３３】
また、下位ポールの孔２３ｃの外周面側にナットＮを溶接するとしたが、これに限られるものではなく、他の方法でもボルト２７が螺合できればよい。例えば、この下位ポールの孔２３ｃに直接タップを立ててもよい。
また、ガイド部材２６は四つとしたが、これに限られるものではなく、これより少なくても多くてもよい。但し、上位ポール２４の挿入位置の矯正という点から、三つ以上が好ましい。更に、下位ポール２３の全内周に亘ってガイド部材２６が形成されていてもよい。
【００３４】
また、ボルト２７は四本としたが、これに限られるものではなく、これより少なくても多くても、上位ポール２４を下位ポール２３に固定できればよい。
また、回り止め部材２９により上位ポール２４の回転を防止したが、これに限られるものではなく、他の方法で回り止めを行ってもよい。例えば、プレート２５から立設した円筒２８と、下位ポール２３に孔を形成し、それらの孔に一本のボルト２７を連通することによって回り止めを行ってもよい。
【００３５】
また、ガイド部材２６はストレート部２６ｂを有するとしたが、これに限られるものではなく、テーパー部２６ａを有していれば足りる。つまり、ストレート部２６ｂの代わりに、下位ポールの上部内周面２３ａからの突出量が最大となった位置から、上方から下方に向けて徐々に突出量が減る逆テーパー部を有していてもよい。またそれとは別に、上方から順に、テーパー部、ストレート部、逆テーパー部となっていてもよい。
また、この支持柱２０は、学校のグランドや公園等に使用されるとしたが、これに限るものではなく、ゴルフ練習場等でもよい。
【図面の簡単な説明】
【００３６】
【図１】本発明の第一実施形態に係る支持柱を示す要部断面図である。
【図２】図１に示す支持柱のＡ−Ａ線断面図である。
【図３】図１に示す支持柱のＢ−Ｂ線断面図である。
【図４】図１に示す支持柱におけるガイド部材とプレートの拡大断面図である。
【図５】図１に示す支持柱における上位ポールの挿入位置がガイド部材で矯正されることを示す図である。
【図６】本発明の第二実施形態に係る支持柱を示す要部断面図である。
【図７】図６に示す支持柱のＣ−Ｃ線断面図であり、（ａ）は、回り止め部材が一つの場合を、（ｂ）は、回り止め部材が二つである場合を示す。
【図８】本発明の第三実施形態に係る支持柱を示す要部断面図である。
【図９】従来例と第一乃至第三実施形態に係る防球ネットと支持柱を示す平面図である。
【図１０】従来例に係る支持柱における上位ポールを示す平面図である。
【符号の説明】
【００３７】
１０      支持柱
１１      ワイヤー
１２      防球ネット
１３      下位ポール
１４      上位ポール
１５      プレート
１６      位置決め部材
２０      支持柱
２３      下位ポール
２３ａ    上部内周面
２３ｂ    上端面
２３ｃ    孔
２４      上位ポール
２４ａ    下部外周面
２４ｂ    下端
２５      プレート
２６      ガイド部材
２６ａ    テーパー部
２６ｂ    ストレート部
２７      ボルト
２８      円筒
２９      回り止め部材
Ｎ      ナット
Ｒ１    下位ポールの内径
Ｒ２    上位ポールの外径
Ｒ３    下位ポールの外径
Ｒ４    円筒の内径
Ｓ１    上位ポールとガイド部材のストレート部との隙間
Ｓ２    下位ポールとプレートに立設した円筒との隙間
【図１】
2010094257.tif 000003
【図２】
2010094257.tif 000004
【図３】
2010094257.tif 000005
【図４】
2010094257.tif 000006
【図５】
2010094257.tif 000007
【図６】
2010094257.tif 000008
【図７】
2010094257.tif 000009
【図８】
2010094257.tif 000010
【図９】
2010094257.tif 000011
【図１０】
2010094257.tif 000012